(57)【要約】      （修正有）【課題】指輪の軽量化を可能とした構造とし、指輪本体上面に宝石を嵌合した場合は、該構造にて、より宝石の持つ輝きを引き出して装飾性を向上させ、また、該構造を利用し、構成する部品点数を少なくして装飾体を移動可能とする指輪を低コストにて量産対応をも可能とし、装着時の指あたりを良好にした商品を提供する。【解決手段】指輪本体２０の側面部円周方向適宜位置に透かし部１を円周の長さに対して２０％乃至５０％設けて装身用指輪２０Ａを形成し、該指輪２０Ａ上面に宝石を嵌合させて装身用指輪を形成した。又、前記指輪２０Ａの透かし部に装飾体６を装着して装身用指輪を形成し、又、前記指輪２０Ａの透かし部に装飾体を装着して装身用指輪を形成して装飾体を透かし部１の長さ範囲内にて移動可能とした。【選択図】図１
0003108899.tif 000002
【実用新案登録請求の範囲】
【請求項１】
指輪本体の側面部円周方向適宜位置に透かし部を円周の長さに対して２０％乃至５０％設けたことを特徴とする装身用指輪。
【請求項２】
指輪本体の側面部円周方向適宜位置に透かし部を円周の長さに対して２０％乃至５０％設けて、該指輪本体上面に宝石を嵌合させることを特徴とする装身用指輪。
【請求項３】
指輪本体の側面部円周方向適宜位置に透かし部を円周の長さに対して２０％乃至５０％設けて、該透かし部に装飾体を１個乃至複数個、装着して該装飾体を透かし部の長さ範囲内にて移動可能としたことを特徴とする装身用指輪。
【考案の詳細な説明】
【技術分野】
【０００１】
本考案は、貴金属装身具としての指輪に関するものである。
【背景技術】
【０００２】
従来から貴金属装身具の指輪として、下がる飾り付きのもの、宝石が揺れる、宝石を施した装飾部材をリバーシブルに使用出来る等の機能を持たせた多種の提案がなされている。その中で、環状本体の円周上を可動部材が摺動自在に取り付けられた指輪として、「環状本体が、目に見える外側部分と、装飾品を付けることができる支持体に差し向けられる第２の部分と、少なくとも１つの摺動路とを有し、可動部材が、環状本体を少なくとも部分的に包囲する部分と、この部分に固定されていて、かかる部分の内面が環状本体の目に見える部分に当たらないように少なくとも１つの摺動路と協働するようになった少なくとも１つのシューとを有し、環状本体の目に見える外側部分は、可動部材を繰り返し且つ頻繁に摺動させても傷がまったく付かず、無傷で光り輝いた状態を保つ。さらに、可動部材の運動は規則正しく且つ容易である。また、案内及び摺動要素は隠れており、これは装飾品の審美的な外観を得るのに寄与する。好ましい実施形態は、少なくとも１つの摺動路は、環状本体の第２の部分の中空環状スペース中に設けられた少なくとも２つの対向した溝で構成され、少なくとも１つのシューは、上記包囲部分に固定された状態で中空環状スペース内に少なくとも部分的に位置したＴ字形のスライダから成ることを特徴とする」指輪が提案されている（例えば特許文献１参照。）。
【０００３】
しかし、上記提案は、指輪を構成する部品点数が多く、重量的にも重く、また、構造的にも難しく、量産するためにはコスト的に高くなるものであり、可動部材が環状本体の内面側に飛び出ているために装着時の指あたりが悪く市場性に疑問が残る指輪である。
【０００４】
【特許文献１】特開２００１−１６１４１３号公報
【考案の開示】
【考案が解決しようとする課題】
【０００５】
前記事項を鑑み、指輪の軽量化を可能とした構造とし、指輪本体上面に宝石を嵌合した場合は、該構造にて、より宝石の持つ輝きを引き出して装飾性を向上させ、また、該構造を利用し、構成する部品点数を少なくして装飾体を移動可能とする指輪を低コストにて量産対応をも可能とし、装着時の指あたりを良好にした商品の提供を目的とする。
【課題を解決するための手段】
【０００６】
本考案は、指輪本体の側面部円周方向適宜位置に透かし部を円周の長さに対して２０％乃至５０％設けて軽量化を可能とした構造とし、該指輪本体上面に宝石を嵌合させることにより前記透かし部からの入射光にて、より宝石の持つ輝きを引き出すことを特徴とする。
【０００７】
また、指輪本体の側面部円周方向適宜位置に透かし部を円周の長さに対して２０％乃至５０％設けて、該透かし部に装飾体を１個乃至複数個、装着して該装飾体を透かし部の長さ範囲内にて移動可能としたことを特徴とする。
【考案の効果】
【０００８】
本考案の装身用指輪は、指輪本体の側面部円周方向適宜位置に透かし部を設ける構造により、軽量化を実現し、指輪本体上面に宝石を嵌合した場合は、透かし部からの入射光にて、より宝石の持つ輝きを得ることが可能となった。
【０００９】
また、前記透かし部に装飾体を１個乃至複数個、装着して該装飾体を透かし部の長さ範囲内にて移動可能とすることで装飾性、趣味性を向上させることができた。  
【００１０】
さらに、前記装飾体を指輪本体の内面側に飛び出ない構造としているため、装着時の指あたりの良い商品の提供が可能となった。
【考案を実施するための最良の形態】
【００１１】
以下、図面を用いて本考案の実施形態を詳細に説明する。図１は、本考案の請求項１に記載した指輪本体２０の側面部円周方向適宜位置に透かし部１を設けて装身用指輪２０Ａを形成させた一実施例を示す正面図であり、透かし部１を設ける一つの手段として以下に述べる。
【００１２】
実施例として用いた指輪本体２０の寸法は外径φ２１、内径φ１７、幅３.２ｍｍとして、ＣＮＣ旋盤にコレットチャックを用いて、該コレットチャックに外径φ１８、内径φ１７、最大幅４.８ｍｍ、最小幅５ｍｍにて１３.４度傾斜したワッシャーをアダプターとして取り付け後、指輪本体２０を取り付けることにより、指輪本体２０も１３.４度傾斜してＣＮＣ旋盤に取り付けられた状態となる。
【００１３】
前記の傾斜させて取り付けた指輪本体２０はダイヤバイト等を用いて側面溝加工をするように厚さ１ｍｍ刃のダイヤバイト等をセットして、指輪本体２０の側面部を切削することにより、該バイトが当たり切削する部分と、当たらないで切削しない部分が発生し、切削にて生じた溝部２を形成し、更に切削をすることにより側面部の一部分が貫通した状態になり、更に切削を行うことにより貫通部分を広げることができ、欲する長さの透かし部１を設けた装身用指輪２０Ａを形成した。
【００１４】
溝部２の長さは前記に述べたワッシャーの傾斜角度を小さくすれば長くなり、大きくすれば短くすることができるため、指輪全体のバランスを考慮して用いると良い。
【００１５】
図２〜図５は、装身用指輪２０Ａの上面３に宝石５を嵌合させて装身用指輪２０Ｂを形成させた一実施例を示し、実施の際に用いた宝石５はラウンド・ブリリアントカットダイヤモンドを使用した。
【００１６】
装身用指輪２０Ａに宝石５を石留め（嵌合）する留意点として、装身用指輪２０Ａの幅寸法及び透かし部１の高さ寸法と、ダイヤモンドの直径とが関係するため、それらを踏まえて装身用指輪２０Ａの製作と宝石５の手配をする必要がある。
【００１７】
通常ラウンド・ブリリアントカットダイヤモンドのプロポーションは直径が１００％に対して全体高さ（テーブル〜キューレット）は６０％であり、該ダイヤモンド直径をφ２.５とすれば、全体高さは１.５ｍｍとなるため、幅３.２ｍｍ、厚さ２ｍｍ、透かし部高さ１ｍｍとした装身用指輪２０Ａに宝石５を石留め（嵌合）させて装身用指輪２０Ｂを製作した。
【００１８】
図６〜図９は、装身用指輪２０Ａに装飾体６を装着して装身用指輪２０Ｃを形成させた一実施例を示し、装飾体６の内側は装飾体背面７と、抜け防止部１に入る抜け防止部１０を有し、装飾体底部８は透かし底部９に接触し、装飾体背面７と上面３は接触しない構造としているため、装飾体６を透かし部１内にて移動させても抜け防止部１０にて装飾体６は抜け出ることなく上面３には疵は付かない装身用指輪２０Ｃを製作した。
【００１９】
本考案によれば、装飾体６のデザイン形状は限定するものではなく、また、上面には宝石を石留め（嵌合）しても良く、カット等による模様を施しても良く、また、チャーム（下げる飾り）を取り付けることもできるため、チャームを移動可能としたチャームリングとすることもできる。
【００２０】
図１０は、チェーン１１の一端にパーツ１３ａを取り付け、チェーン１１の他端よりチェーン１１を透かし部１に挿通させた後、チェーン１１の他端にパーツ１３ｂを取り付け、そして、チェーン１１の適宜位置にて接合することにより、透かし部１内を移動可能とした装飾体１２を形成し、装飾体１２をチャーム（下げる飾り）とした装身用指輪２０Ｄを
製作した。
【００２１】
本考案によれば、実施にあたって装身用指輪２０Ａは、ＣＮＣ旋盤を用いて切削加工にて形成したが、当然のことながら実施形態は本考案を限定するものではなく、他の方法として、ロストワックス鋳造法を用いて形成させても良い。
【図面の簡単な説明】
【００２２】
【図１】指輪本体の側面部円周方向適宜位置に透かし部を設けた一実施例を示す正面図である。
【図２】指輪本体の側面部円周方向適宜位置に透かし部を設けて、該指輪本体上面より宝石を嵌合させた一実施例を示す正面図である。
【図３】図２の右側面図を示す。
【図４】図２の平面図を示す。
【図５】図４Ａ−Ａ線断面図を示す
【図６】指輪本体の側面部円周方向適宜位置に透かし部を設けて該透かし部に装飾体を装着した一実施例を示す正面図である。
【図７】図７の右側面図を示す。
【図８】図７の平面図を示す。
【図９】図８Ｂ−Ｂ線断面図を示す
【図１０】指輪本体の側面部円周方向適宜位置に透かし部を設けて該透かし部に装飾体を挿通させて装着した一実施例を示す概念図である。
【符号の説明】
【００２３】
１    透かし部
２    溝部
３    上面
４    内面
５    宝石
６    装飾体  
７    装飾体背面  
８    装飾体底部
９    透かし底部
１０    抜け防止部
１１    チェーン
１２    装飾体
１３ａ  パーツ
１３ｂ  パーツ
２０    指輪本体
２０Ａ  装身用指輪
２０Ｂ  装身用指輪
２０Ｃ  装身用指輪
２０Ｄ  装身用指輪
【図１】
0003108899.tif 000003
【図２】
0003108899.tif 000004
【図３】
0003108899.tif 000005
【図４】
0003108899.tif 000006
【図５】
0003108899.tif 000007
【図６】
0003108899.tif 000008
【図７】
0003108899.tif 000009
【図８】
0003108899.tif 000010
【図９】
0003108899.tif 000011
【図１０】
0003108899.tif 000012